(57)【要約】      （修正有）【課題】かご上空調機器のメンテナンスのためのスペースを確保し、かご上保守作業の効率を向上させる。【解決手段】エレベータのかご装置は、かご室３と、かご室３を内側に支持するかご枠２と、かご室３を空調する空調機器１１と、かご枠２の上部に配置されたレール２１、レール２１に沿って移動可能で空調機器１１の空調本体１２を保持する取付金２２を備えた保持機器１３と、を備えたことを特徴とする。【選択図】図２
2016222454.tif 000002
【特許請求の範囲】
【請求項１】
かご室と、前記かご室を内側に保持するかご枠と、前記かご室を空調する空調機器と、
前記かご枠の上部に配置されたレール、該レールに沿って移動可能で前記空調機器の空調本体を保持する取付金を備えた保持機器と、を備えたことを特徴とするエレベータのかご装置。
【請求項２】
前記保持機器は、回転して前記レールを移動するローラーを前記取付金に備えた、ことを特徴とする請求項１に記載のエレベータのかご装置。
【請求項３】
前記取付金を前記レールに固定するストッパーを、前記取付金の上部に配置した、ことを特徴とする請求項２に記載のエレベータのかご装置。
【請求項４】
前記取付金の前記レールへの固定を検出するセンサーと、前記センサーの検出でエレベータの運転を可能とする制御機器と、を備えた、ことを特徴とする請求項３に記載のエレベータのかご装置。
【発明の詳細な説明】
【技術分野】
【０００１】
この発明は、エレベータ用空調機器の空調本体がかごに移動可能に備えられたエレベータのかご装置に関する。
【背景技術】
【０００２】
エレベータかごの空調機器の空調本体は、支持部材を用いてかご枠に固定されている。そして、空調本体からダクトを通してかご室内の空調を行っている。 (例えば特許文献１)。
【先行技術文献】
【特許文献】
【０００３】
【特許文献１】ＷＯ２０１０／０５００１３号公報  (第２図)
【発明の概要】
【発明が解決しようとする課題】
【０００４】
ところで、かご上には空調機器の他に各種機器用の制御盤等が配置されている場合があり、これらのメンテナンスを、保守作業者がかご上に乗って行っている。また、乗り場に配置されているホールランタン等の機器のメンテナンスを、保守作業者がかご上に乗って昇降路側から行う場合がある。いずれの場合も、空調本体を避けた位置に保守作業者が立ってメンテナンスを行う場合があり、作業が困難な場合があった。さらに、空調本体の上から作業せざるを得ない場合は、空調本体より上方に足場が必要であり、すなわち、かご上に作業用の足場を設置する必要があった。この場合、保守作業者の安全確保のため、昇降路の頂上部に、かごが侵入することを防ぐための安全スイッチの設置が必要となり、安全上のコスト負担が大きかった。
【０００５】
この発明は上記課題を解決するためになされたもので、空調機器の空調本体を移動させることでかご上の作業スペースを確保でき、保守作業の安全性を向上させることを目的とする。また、保守作業用の足場を設置する必要がなく、機器コストを削減することも目的とする。
【課題を解決するための手段】
【０００６】
この発明に係るエレベータのかごは、かご室と、前記かご室を内側に支持するかご枠と、前記かご室を空調する空調機器と、前記かご枠の上部に配置されたレール、該レールに沿って移動可能で前記空調機器の空調本体を保持する取付金を備えた保持機器と、を備えている。
【発明の効果】
【０００７】
この発明によれば、かご上に設置した空調機器の空調本体を移動させることができるので、かご上の保守作業スペースを確保することができ、保守作業の安全性を向上させることができる。また、保守作業用の足場を設置する必要がないので、機器コストを削減することができる。
【図面の簡単な説明】
【０００８】
【図１】この発明の実施の形態１を示すエレベータのかごを示した図である。
【図２】図１をＡ方向から見た図である。
【図３】図１をＢ方向から見た図である。
【図４】図３のＥ部を拡大した図である。
【発明を実施するための形態】
【０００９】
以下、この発明の詳細について、添付の図面を参照して説明する。
【００１０】
実施の形態１
図１〜図４は、この発明の実施の形態１を説明する図である。
図１に示すように、昇降路内を昇降するかご１は、かご枠２の内側にかご室３を保持している。かご室３は、床６の外周に設けられた壁５の上部に天井８を配置し、出入口７にドア４を配置している。また、かご枠２の上部に、空調装置１１の空調本体１２が、保持機器１３を介してかご枠２に沿って移動可能に取付けられている。
【００１１】
空調本体１２から伸びた吹出ダクトホース１４が天井８に設けられた吹出しダクトボックス１５に繋がっている。そして、空調本体１２から伸びた吸込ダクトホース１６が天井８に設けられた吸込ダクトボックス１７に繋がっている。空調本体１２、吹出ダクトホース１４、吹出しダクトボックス１５、吸込ダクトホース１６、吸込ダクトボックス１７により空調装置１１の要部が構成される。この空調装置１１によってかご室３内の空調が行われる。なお、吹出ダクトホース１４、吸込ダクトホース１６は柔軟な素材でできており、空調装置１１の移動による多少の折り曲げは可能である。
【００１２】
かご室３の床６とかご枠２との間には図示していないが、かご室３の振動等を抑制するための緩衝材が設けられている。また、かご室３の側面はかご枠２に規制されて、出入口７を正面とする前後方向の傾きが抑制されている。
【００１３】
図２〜図４に示すように、空調本体１２は保持機器１３を介してかご枠２に沿って矢印Ｃまたは矢印Ｄ方向に移動可能に取付けられている。保持機器１３は空調本体１２を固定する取付金２２と、取付金２２が移動するレール２１を備えており、レール２１はかご枠２の上部に固定されている。また、取付金２２に備えた軸２３，２４に、それぞれローラー２５，２６が回転可能に取付られている。このローラー２５，２６により空調本体１２を固定した取付金２２はレール２１をかご枠２に沿って移動する。
【００１４】
レール２１は板材を曲げ加工して断面が略Ｃ字状になっており、底面がかご枠２に固定されている。レール２１の側板２１ａが、ローラー２５，２６がレール２１から外れないようガイドする。
【００１５】
取付金２２は、レール２１に固定するためのストッパー２７を備えている。ストッパー２７は、握り部２７ａにネジ部２７ｂを設けている。そして、ストッパー２７を取付けるための取付け板２８が取付金２２に固定されている。ストッパー２７は、取付け板２８のネジ部２８ａに螺合されている。さらに、レール２１の長手方向のほぼ中央の位置にネジ２１ｂが設けられており、ストッパー２７のネジ部２７ｂが締結されて、取付金２２、すなわち、空調本体１２がレール２１に固定される。
【００１６】
そして、取付け板２８に設けられた検出部２８ｂが、レール２１に設けられたセンサー２９に検出される。センサー２９が検出部２８ｂを検出した信号が制御機器３０に入力されている場合に、かご１の運転（走行）が可能となる。
【００１７】
かご１のメンテナンスを行う場合、ストッパー２７のネジを緩めてから空調本体１２をレール２１に沿って移動させる。最初にストッパー２７をネジ部２７ｂの頭部がレール２１より離れた位置まで締結を緩める。そして空調本体１２をレール２１の矢印Ｄ、Ｃ方向の任意の位置に移動させる。移動後、ストッパー２７の握り部２７ａを回転させる（締める）とネジ部２７ｂの頭部がレール２１に当接して空調本体１２をレール２１に仮固定することができる。
レール２１には中央のネジ２１ｂのみ設けているため、ほとんどの箇所で空調本体１２を仮固定となるが、ネジ２１ｂを複数箇所に増やしてもよい。
【００１８】
ここで、かご枠２の上部とかご３の上との間には、保守作業者が入り込むことのできる空間がある。例えば、かご１が不意に上昇して昇降路の天井部にかご枠２の上部が衝突しても、かご枠２の上部とかご３の上との空間に保守作業者が避難することができる。
【００１９】
空調本体１２を保持した取付金２２の移動には、ローラー２５，２６が回転してレール２１を移動する方式を用いているが、例えば、シュー等がレール２１上を移動して空調本体１２が移動する構成でもよい。
【００２０】
また、ストッパー２７はネジを用いて固定しているが、フックを用いて取付金２２をレール２１に係止させる方法でもよい。
【００２１】
上記実施の形態１により、以下の効果を得ることができる。
かご室３と、かご室３を内側に支持するかご枠２と、かご室３を空調する空調機器１１と、かご枠３の上部に配置されたレール２１、レール２１に沿って移動可能で空調機器１１の空調本体１２を保持する取付金２２を備えた保持機器１３とを備えているので、空調本体１２を移動可能で、かご１上の保守作業スペースを確保することができ、保守作業の安全性を向上させることができる。
【００２２】
また、保持機器１３は、レール２１を回転して移動するローラー２５，２６を取付金２２に備えているので、簡単な構成で空調本体１２を移動させることができる。
【００２３】
さらに、取付金２２をレール２１に固定するストッパー２７を、取付金２２の上部に配置しているので、ストッパー２７の固定及び解除をかご３上のどの位置からも行い易い。メンテナンスのために空調本体１２を移動させた場合もストッパー２７の仮固定及び解除を行い易い。
【００２４】
さらにまた、取付金２２のレール２１への固定を検出するセンサー２９と、センサー２９の検出でエレベータの運転を可能とする制御機器３０とを備えているので、取付金２２が移動してストッパー２７により仮固定されている場合、かご１が運転（走行）されないので、安全にメンテナンス作業を行うことができる。
【００２５】
かご枠２の上部とかご３の上との空間に保守作業者が避難することができるので、保守作業用の足場を設置する必要がない。これにより、機器コストを削減することができる。
【符号の説明】
【００２６】
１１  空調装置、  １２  空調本体、  １３  保持機器、  １４  吹出ダクトホース、  １５  吹出ダクトボックス、  １６  吸込ダクトホース、  １７  吸込ダクトボックス、  ２１  レール、  ２２  取付金、  ２３・２４  軸、  ２５・２６  ローラー、  ２７  ストッパー、  ２７ａ  握り部、  ２７ｂ  ネジ部、  ２８  取付け板、  ２８ａ  ネジ部、２８ｂ  検出部、２９  センサー、  ３０  制御機器。
【図１】
2016222454.tif 000003
【図２】
2016222454.tif 000004
【図３】
2016222454.tif 000005
【図４】
2016222454.tif 000006